(57)【要約】  【課題】  配信条件テーブルの面倒な更新処理を行うことなく、簡便に画像データの配信先を決定して画像データを配信できる画像通信装置を提供する。  【解決手段】  公衆回線Ｌ１を介して他のファクシミリ装置から画像データを受信した場合、または、通信回線Ｌ２を介して外部装置から画像データを受信した場合に、その画像データの発信元のファクシミリ番号または電子メールアドレスを、アドレス帳格納部７ａに格納されているユーザ毎のアドレス帳で検索し、そのファクシミリ番号または電子メールアドレスが登録されているユーザに、受信した画像データを配信する。【選択図】      図１
2006203351.tif 000002
【特許請求の範囲】
【請求項１】
受信した画像データを、配信先を決定して配信する画像通信装置において、複数の配信先夫々のアドレス帳を格納する手段と、受信した画像データの発信元情報から前記アドレス帳を参照して前記画像データの配信先を決定する決定手段と、決定した配信先へ前記画像データを配信する手段とを備えることを特徴とする画像通信装置。
【請求項２】
画像データが配信される都度その配信履歴情報を蓄積する手段を備えており、画像データを受信した際に、前記決定手段は、前記配信履歴情報を参照して前記画像データの配信先を決定することとし、前記配信履歴情報で決定できない場合に、前記アドレス帳を参照して前記画像データの配信先を決定するようにしたことを特徴とする請求項１記載の画像通信装置。
【請求項３】
受信した画像データを配信する際の配信条件を登録した手段を備えており、画像データを受信した際に、前記決定手段は、前記配信条件に基づいて前記画像データの配信先を決定することとし、前記配信条件で決定できない場合に、前記アドレス帳を参照して前記画像データの配信先を決定するようにしたことを特徴とする請求項１記載の画像通信装置。
【発明の詳細な説明】
【技術分野】
【０００１】
本発明は、公衆回線及びその他のネットワークに接続可能であって、受信した画像データを各配信先（各ユーザ宛）に配信する画像通信装置に関するものである。
【背景技術】
【０００２】
公衆回線に接続されるとともに、ＬＡＮ（Local Area Network）などの他のネットワークにも接続可能である複合型ファクシミリ装置が知られている。このような複合型ファクシミリ装置にあっては、公衆回線を介してファクシミリ通信が行えるとともに、ＬＡＮなどのネットワークに接続されている外部端末装置（クライアント装置）からの画像データを、公衆回線を介してファクシミリ送信することが可能であり、また、公衆回線を介して受信した画像データを、ＬＡＮなどのネットワーク上のクライアント装置に配信することも可能である。
【０００３】
このような複合型ファクシミリ装置にあって、発信元から受信した画像データを各クライアント装置に配信する場合に、予め所定の配信条件をテーブルデータとして登録しておき、画像データを受信した際に、その配信条件テーブルに基づいて自動的に配信先を決定して、決定した配信先へ画像データを配信するファクシミリ装置を、本発明の出願人は提案している（例えば、特許文献１参照）。
【特許文献１】特開２００１−１８６３２０号公報
【発明の開示】
【発明が解決しようとする課題】
【０００４】
特許文献１に記載されたファクシミリ装置では、所望の配信条件に基づいて自動的に配信処理が行われるため、便利である。しかしながら、その配信条件が増加していった場合には、その都度配信条件テーブルを更新する処理を行わなければならず、配信条件テーブルを管理することが煩わしいという難点があり、改善が望まれている。
【０００５】
本発明は斯かる事情に鑑みてなされたものであり、既存の各配信先（各ユーザ）毎のアドレス帳を参照して画像データの配信先を決定することにより、配信条件テーブルの面倒な更新処理を行うことなく、簡便に画像データの配信先を決定して画像データを配信できる画像通信装置を提供することを目的とする。
【課題を解決するための手段】
【０００６】
第１発明に係る画像通信装置は、受信した画像データを、配信先を決定して配信する画像通信装置において、複数の配信先夫々のアドレス帳を格納する手段と、受信した画像データの発信元情報から前記アドレス帳を参照して前記画像データの配信先を決定する決定手段と、決定した配信先へ前記画像データを配信する手段とを備えることを特徴とする。
【０００７】
第１発明の画像通信装置にあっては、受信した画像データの発信元情報に基づいて各配信先（各ユーザ）のアドレス帳を参照し、アドレス帳にその発信元情報（ファクシミリ番号または電子メールアドレス）が載っているユーザを配信先と決定し、その決定した配信先に、受信した画像データを配信する。よって、配信条件テーブルの面倒な管理が不要となり、各配信先（各ユーザ）の既存のアドレス帳を利用して、画像データの配信処理を行える。
【０００８】
第２発明に係る画像通信装置は、第１発明において、画像データが配信される都度その配信履歴情報を蓄積する手段を備えており、画像データを受信した際に、前記決定手段は、前記配信履歴情報を参照して前記画像データの配信先を決定することとし、前記配信履歴情報で決定できない場合に、前記アドレス帳を参照して前記画像データの配信先を決定するようにしたことを特徴とする。
【０００９】
第２発明の画像通信装置にあっては、画像データを受信した際に、まず蓄積してある配信履歴情報を参照してその画像データの配信先を決定するようにし、できない場合に各配信先（各ユーザ）のアドレス帳を参照してその画像データの配信先を決定する。よって、配信履歴情報に基づいてより簡便に画像データの配信先を決定できるとともに、配信履歴情報がない場合でも確実に配信処理を行える。
【００１０】
第３発明に係る画像通信装置は、第１発明において、受信した画像データを配信する際の配信条件を登録した手段を備えており、画像データを受信した際に、前記決定手段は、前記配信条件に基づいて前記画像データの配信先を決定することとし、前記配信条件で決定できない場合に、前記アドレス帳を参照して前記画像データの配信先を決定するようにしたことを特徴とする。
【００１１】
第３発明の画像通信装置にあっては、画像データを受信した際に、まず登録してある配信条件に基づいてその画像データの配信先を決定するようにし、できない場合に各配信先（各ユーザ）のアドレス帳を参照してその画像データの配信先を決定する。よって、種々の配信条件に応じた自動配信処理を行えるとともに、配信条件に合致しない場合でも確実に配信処理を行える。
【発明の効果】
【００１２】
本発明では、受信した画像データの発信元情報から各配信先（各ユーザ）のアドレス帳を参照し、アドレス帳にその発信元情報が登録されているユーザを配信先と決定して、受信した画像データを配信するようにしたので、配信条件テーブルの面倒な管理を行うことなく、各配信先（各ユーザ）の既存のアドレス帳を利用して、容易に画像データの配信処理を行うことができる。
【００１３】
また、本発明では、まず蓄積してある配信履歴情報を参照して、受信した画像データの配信先を決定するようにし、できない場合に各配信先（各ユーザ）のアドレス帳を参照して、その受信した画像データの配信先を決定するようにしたので、配信履歴情報に基づいてより簡便に画像データの配信先を決定できるとともに、配信履歴情報がない場合でも確実に配信処理を行うことができる。
【００１４】
また、本発明では、まず登録してある配信条件に基づいて、受信した画像データの配信先を決定するようにし、できない場合に各配信先（各ユーザ）のアドレス帳を参照して、その受信した画像データの配信先を決定するようにしたので、種々に設定された配信条件に応じた自動配信処理を行えるとともに、配信条件に合致しない場合でも確実に配信処理を行うことができる。
【発明を実施するための最良の形態】
【００１５】
以下、本発明をその実施の形態を示す図面を参照して具体的に説明する。図１は、本発明の画像通信装置としての複合機（ファクシミリ複合装置）２０の構成を示すブロック図である。複合機２０は、本来のファクシミリ機能，コピー機能に加えて、外部端末装置からネットワークを介して電子メールを受信する機能、及び、入力した画像データをプリントアウトするプリンタ機能を備えた機能複合型のファクシミリ装置である。
【００１６】
複合機２０は、制御部１，読取部２，記録部３，表示部４，操作部５，ＲＯＭ６，ＲＡＭ７，画像メモリ８，コーデック９，モデム１０，ＮＣＵ（Network Control Unit）１１，インタフェース部１２などを備えている。
【００１７】
制御部１は、具体的にはＣＰＵで構成されており、バス１３を介して複合機２０の上述したようなハードウェア各部と接続されていて、それらを制御すると共に、ＲＯＭ６に格納された制御プログラムに従って、種々のソフトウェア的機能を実行する。また、制御部１は、後述するような動作処理を行うことにより、受信した画像データの配信先を決定する決定手段として機能する。
【００１８】
読取部２は、例えばＣＣＤを利用した光学系で原稿を読み取り、読み取った画像データを出力する。記録部３は、電子写真方式のプリンタ装置であって、読取部２にて読み取った原稿の画像データ、ファクシミリ通信により受信した画像データ、他の複合機などから送られてきた画像データなどに応じた画像を用紙にプリントアウトする。
【００１９】
表示部４は、液晶表示装置またはＣＲＴディスプレイなどの表示装置であり、複合機２０の動作状態を表示したり、ユーザへ操作入力を促す画面またはユーザへ警告を発する画面を表示したりする。操作部５は、複合機２０を操作するために必要な文字キー，テンキー，短縮ダイヤルキー，ワンタッチダイヤルキー，各種のファンクションキーなどを備えている。なお、表示部４をタッチパネル方式とすることにより、操作部５の各種のキーの内の一部または全部を代用することも可能である。
【００２０】
ＲＯＭ６は、複合機２０の動作に必要な種々のソフトウェアの制御プログラムを格納する。ＲＡＭ７は、ソフトウェアの実行時に発生する一時的なデータを記憶する。また、ＲＡＭ７は、各ユーザのアドレス帳を格納するアドレス帳格納部７ａと、画像データの配信処理の履歴を蓄積する配信履歴蓄積部７ｂと、画像データの自動的な配信を行うための配信条件を登録する配信条件登録部７ｃとを有している。
【００２１】
画像メモリ８は、ＤＲＡＭなどで構成され、原稿を読み取って得られる画像データ、他のファクシミリ装置などの外部装置から受信した画像データなどを記憶する。コーデック９は、送信する画像データを所定の圧縮方式に従って圧縮したり、受信した画像データを所定の圧縮方式に従って伸長する。
【００２２】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、公衆電話回線網（ＰＳＴＮ：Public Switched Telephone Network)との公衆回線Ｌ１の閉結及び開放の動作を行うハードウェアであり、必要に応じてモデム１０をＰＳＴＮと接続する。そして、複合機２０は、ＰＳＴＮによって他のファクシミリ装置と接続されており、通常のファクシミリ通信が行えるようになっている。インタフェース部１２は、ＬＡＮ，インターネットなどの通信回線Ｌ２を介して他の複合機，ＰＣなどの外部装置に接続されており、外部装置との間で電子メールなどのデータのやりとりを行う。
【００２３】
図２は、ＲＡＭ７のアドレス帳格納部７ａに格納されている各ユーザのアドレス帳の一例を示す図である。図２において、アドレス帳には通信相手先のファクシミリ番号と電子メールアドレスとが各ユーザ毎に登録されている。
【００２４】
図３は、ＲＡＭ７の配信履歴蓄積部７ｂに蓄積されている画像データの配信処理の履歴情報の一例を示す図である。図３において、画像データの発信元のファクシミリ番号または電子メールアドレスと、その画像データの受信時刻と、配信先のユーザ名とが、履歴情報として蓄積されている。このような履歴情報は、配信処理が行われる都度、順次蓄積されていく。
【００２５】
図４は、ＲＡＭ７の配信条件登録部７ｃに登録されている配信条件の一例を示す図である。図４において、発信元のファクシミリ番号または電子メールアドレス、及び配信稼動日時を配信条件として、その配信条件を満足する場合の配信先が登録されている。
【００２６】
本発明の複合機２０では、公衆回線Ｌ１を介して他のファクシミリ装置から画像データを受信した場合、または、通信回線Ｌ２を介して外部装置から画像データを受信した場合に、その画像データの発信元のファクシミリ番号または電子メールアドレスを、アドレス帳格納部７ａに格納されているユーザ毎のアドレス帳で検索し、そのファクシミリ番号または電子メールアドレスが登録されているユーザに、受信した画像データを配信する。
【００２７】
但し、本発明の複合機２０では、画像データを受信した際に、まず、配信履歴蓄積部７ｂに蓄積されている配信処理の履歴情報を参照してその画像データの配信先を決定するようにしており、履歴情報に基づいて配信先を決定できない場合に、上述したような各ユーザのアドレス帳を参照して配信先を決定する。また、本発明の複合機２０では、画像データを受信した際に、まず、配信条件登録部７ｃに登録されている配信条件に基づいてその画像データの配信先を決定するようにしており、配信条件に基づいて配信先を決定できない場合に、上述したような各ユーザのアドレス帳を参照して配信先を決定する。
【００２８】
以下、本発明の複合機２０の動作について説明する。図５は、本発明の複合機２０における画像データの配信処理の動作手順の一例を示すフローチャートである。
【００２９】
制御部１は、画像データを受信したか否かを判断する（ステップＳ１）。画像データが受信されない場合（Ｓ１：ＮＯ）、その受信の監視を続ける。画像データを受信した場合（Ｓ１：ＹＥＳ）、制御部１は、配信履歴蓄積部７ｂに蓄積されている配信処理の履歴情報を参照して、その画像データの発信元のファクシミリ番号または電子メールアドレスが配信履歴にあるか否かを判断する（ステップＳ２）。
【００３０】
配信履歴にある場合（Ｓ２：ＹＥＳ）、制御部１は、その配信履歴に従ったユーザに画像データを配信し（ステップＳ７）、配信履歴蓄積部７ｂの配信処理の履歴情報を更新して（ステップＳ８）、動作を終了する。よって、簡便に配信先を決定して、画像データを配信できる。画像データの発信元が配信履歴にない場合（Ｓ２：ＮＯ）、制御部１は、配信条件登録部７ｃに登録されている配信条件を満足するか否かを判断する（ステップＳ３）。配信条件を満足する場合（Ｓ３：ＹＥＳ）、制御部１は、その配信条件に従ったユーザに画像データを配信し（Ｓ７）、配信履歴蓄積部７ｂの配信処理の履歴情報を更新して（Ｓ８）、動作を終了する。よって、種々の配信条件に応じた配信処理を行える。
【００３１】
配信条件を満足しない場合（Ｓ３：ＮＯ）、制御部１は、画像データの発信元のファクシミリ番号または電子メールアドレスを、アドレス帳格納部７ａに格納されているユーザ毎のアドレス帳で検索する（ステップＳ４）。そして、制御部１は、アドレス帳に発信元のファクシミリ番号または電子メールアドレスが登録されているか否かを判断する（ステップＳ５）。発信元が登録されていない場合（Ｓ５：ＮＯ）、制御部１はどのユーザへも配信処理を行わずに、そのまま動作を終了する。なお、この場合に、受信した画像データに応じた画像を記録部３で用紙にプリントアウトしてもよい。
【００３２】
アドレス帳に発信元が登録されている場合（Ｓ５：ＹＥＳ）、制御部１は、複数のユーザのアドレス帳にその発信元が登録されているか否かを判断する（ステップＳ６）。発信元が複数のユーザのアドレス帳に登録されている場合（Ｓ６：ＹＥＳ）、制御部１はどのユーザへも配信処理を行わずに、そのまま動作を終了する。なお、この場合に、受信した画像データに応じた画像を記録部３で用紙にプリントアウトしてもよい。
【００３３】
一方、発信元が複数のユーザのアドレス帳に登録されていない場合（Ｓ６：ＮＯ）、つまり単独のユーザのアドレス帳にのみ発信元が登録されている場合、そのユーザを配信先と決定して画像データを配信し（Ｓ７）、配信履歴蓄積部７ｂの配信処理の履歴情報を更新して（Ｓ８）、動作を終了する。
【００３４】
なお、上述した実施の形態では、画像データの発信元が複数のユーザのアドレス帳に登録されている場合に、どのユーザへも配信処理を行わないようにしたが、これとは異なり、画像データの発信元が複数のユーザのアドレス帳に登録されている場合、発信元がアドレス帳に登録されている全てのユーザに画像データを配信するようにしても良い。
【図面の簡単な説明】
【００３５】
【図１】本発明の画像通信装置としての複合機の構成を示すブロック図である。
【図２】本発明における各ユーザのアドレス帳の一例を示す図である。
【図３】本発明における画像データの配信処理の履歴情報の一例を示す図である。
【図４】本発明における配信条件の一例を示す図である。
【図５】本発明における画像データの配信処理の動作手順の一例を示すフローチャートである。
【符号の説明】
【００３６】
１  制御部
６  ＲＯＭ
７  ＲＡＭ
７ａ  アドレス帳格納部
７ｂ  配信履歴蓄積部
７ｃ  配信条件登録部
２０  複合機（画像通信装置）
【図１】
2006203351.tif 000003
【図２】
2006203351.tif 000004
【図３】
2006203351.tif 000005
【図４】
2006203351.tif 000006
【図５】
2006203351.tif 000007